(57)【要約】【課題】かご上で作業者が作業を行う場合に、送風装置本体によって発生した気流を作業者に当てることができるエレベータかごの送風装置を得る。【解決手段】気流を発生させる送風装置本体２１と、かご１の天井１３に設けられた回動軸２２と、回動軸２２を中心に回動可能に設けられ、送風装置本体２１を支持する支持部材２３とを備え、送風装置本体２１は、支持部材２３が回動軸２２を中心に回動することによって、送風装置本体２１によって発生した気流がかご１の外側から内側に向かうかご内送風位置と、送風装置本体２１によって発生した気流がかご１よりも上方の領域Ａに向かうかご上送風位置との間で変位する。【選択図】図１
2017065905.tif 000002
【特許請求の範囲】
【請求項１】
気流を発生させる送風装置本体を備え、
前記送風装置本体は、前記送風装置本体によって発生した気流がかごの外側から内側に向かうかご内送風位置と、前記送風装置本体によって発生した気流が前記かごよりも上方の領域に向かうかご上送風位置との間で変位するエレベータかごの送風装置。
【請求項２】
前記かごの天井に設けられた回動軸と、
前記回動軸を中心に回動可能に設けられ、前記送風装置本体を支持する支持部材をさらに備え、
前記送風装置本体は、前記支持部材が前記回動軸を中心に回動することによって、前記かご内送風位置と前記かご上送風位置との間で変位する請求項１に記載のエレベータかごの送風装置。
【請求項３】
前記かごに接続された主ロープに設けられ、前記送風装置本体の位置が前記かご上送風位置である場合に前記送風装置本体を支持する支持部材をさらに備えた請求項１に記載のエレベータかごの送風装置。
【請求項４】
前記送風装置本体の位置が前記かご上送風位置である場合に、前記送風装置本体のプロペラファンにおける吹出側部分を覆うカバーをさらに備え、
前記カバーは、前記送風装置本体によって発生した気流が通過可能となっている請求項１から請求項３までの何れか一項に記載のエレベータかごの送風装置。
【発明の詳細な説明】
【技術分野】
【０００１】
この発明は、かごの外側から内側に向かって流れる気流を発生させるエレベータかごの送風装置に関する。
【背景技術】
【０００２】
従来、気流を発生させる送風装置本体と、かごに設けられ、送風装置本体によって発生した気流がかごの外側から内側に向かうように送風装置本体を支持する支持部材とを備えたエレベータかごの送風装置が知られている（例えば、特許文献１参照）。
【先行技術文献】
【特許文献】
【０００３】
【特許文献１】特開平６−４０６８２号公報
【発明の概要】
【発明が解決しようとする課題】
【０００４】
しかしながら、送風装置本体によって発生した気流をかごよりも上方の領域に向かわせることができないので、かご上で作業者が作業を行う場合に送風装置本体を駆動させても、送風装置本体によって発生した気流を作業者に当てることができないという問題点があった。
【０００５】
この発明は、かご上で作業者が作業を行う場合に送風装置本体によって発生した気流を作業者に当てることができるエレベータかごの送風装置を提供するものである。
【課題を解決するための手段】
【０００６】
この発明に係るエレベータかごの送風装置は、気流を発生させる送風装置本体を備え、送風装置本体は、送風装置本体によって発生した気流がかごの外側から内側に向かうかご内送風位置と、送風装置本体によって発生した気流がかごよりも上方の領域に向かうかご上送風位置との間で変位する。
【発明の効果】
【０００７】
この発明に係るエレベータかごの送風装置によれば、送風装置本体は、送風装置本体によって発生した気流がかごの外側から内側に向かうかご内送風位置と、送風装置本体によって発生した気流がかごよりも上方の領域に向かうかご上送風位置との間で変位するので、送風装置本体の位置をかご上送風位置にすることによって、かご上で作業者が作業を行う場合に送風装置本体によって発生した気流を作業者に当てることができる。
【図面の簡単な説明】
【０００８】
【図１】この発明の実施の形態１に係るエレベータの要部を示す縦断面図である。
【図２】図１の送風装置本体が変位した状態を示す図である。
【図３】この発明の実施の形態２に係るエレベータの要部を示す縦断面図である。
【図４】図３の送風装置本体が変位した状態を示す図である。
【図５】図４の送風装置本体とカバーとを示す正面図である。
【発明を実施するための形態】
【０００９】
実施の形態１．
図１はこの発明の実施の形態１に係るエレベータの要部を示す縦断面図である。図において、エレベータは、利用者が乗降するかご１と、かご１に設けられた送風装置（エレベータかごの送風装置）２Ａと、かご１に立てられた手摺３とを備えている。
【００１０】
かご１は、かご床１１と、かご床１１に立てられた側壁１２と、側壁１２の上部に取り付けられた天井１３とを有している。天井１３には、開口部１３１が形成されている。開口部１３１は、天井１３を上方から視た場合に天井１３の中央部分に配置されている。なお、開口部１３１は、天井１３を上方から視た場合に天井１３の中央部分以外の部分に配置されてもよい。
【００１１】
送風装置２Ａは、気流を発生させる送風装置本体２１と、天井１３の上面に設けられた回動軸２２と、回動軸２２を中心に回動可能に設けられた支持部材２３と、送風装置本体２１によって発生した気流の向きを変えるルーバー２４とを備えている。
【００１２】
回動軸２２は、天井１３に沿って配置されている。つまり、回動軸２２は、水平方向に延びるように配置されている。また、回動軸２２は、上方から視た場合に開口部１３１の内壁面に沿うように配置されている。
【００１３】
支持部材２３は、開口部１３１を跨ぐように配置されている。支持部材２３は、一端部が回動軸２２に接続されている。支持部材２３が回動軸２２を中心に回動することによって、送風装置本体２１は回動軸２２を中心に回動しながら変位する。
【００１４】
ルーバー２４は、送風装置本体２１に取り付けられている。したがって、ルーバー２４は、送風装置本体２１が変位する場合に、送風装置本体２１とともに変位する。
【００１５】
図２は図１の送風装置本体２１が変位した状態を示す図である。送風装置本体２１は、送風装置本体２１によって発生した気流がかご１の外側から内側に向かうかご内送風位置と、送風装置本体２１によって発生した気流がかご１よりも上方の領域Ａに向かうかご上送風位置との間で変位する。送風装置本体２１は、かご１の外側に配置されている。送風装置本体２１の位置がかご内送風位置である場合には、送風装置本体２１によって発生した気流は、開口部１３１を通って、かご１の内側に送られる。
【００１６】
送風装置２Ａは、送風装置本体２１の位置がかご上送風位置である場合に手摺３に対して支持部材２３を固定する固定部材２５と、送風装置本体２１の位置がかご上送風位置である場合に開口部１３１を塞ぐ開口部カバー２６とをさらに備えている。
【００１７】
固定部材２５が支持部材２３を手摺３に対して固定することによって、送風装置本体２１は、送風装置本体２１の位置がかご上送風位置である状態で手摺３に対して固定される。その結果、送風装置本体２１の位置は、かご上送風位置の状態で維持される。
【００１８】
開口部カバー２６は、天井１３に着脱可能となっている。送風装置本体２１の位置がかご上送風位置である場合に、開口部カバー２６は、開口部１３１を塞ぐように配置される。開口部カバー２６が開口部１３１を塞ぐことによって、作業者１００が開口部１３１に入ることを防止することができる。
【００１９】
次に、作業者１００がかご１上で作業を行う手順について説明する。まず、作業者１００は天井１３の上部に立ち、支持部材２３を持ち上げて送風装置本体２１をかご内送風位置からかご上送風位置に変位させる。その後、固定部材２５を用いて支持部材２３を手摺３に対して固定し、開口部カバー２６を用いて開口部１３１を塞ぐ。その後、作業者１００は、送風装置本体２１の駆動開始の釦を操作して、かご１上で作業を行う。
【００２０】
かご１上での作業者１００の作業が終了すると、作業者１００は、開口部カバー２６を開口部１３１から取り出し、固定部材２５による支持部材２３の手摺３への固定を解除する。その後、作業者１００は、送風装置本体２１の駆動終了の釦を操作して、支持部材２３を下して送風装置本体２１をかご上送風位置からかご内送風位置に変位させる。以上により、作業者１００によるかご１上での作業が終了する。
【００２１】
以上説明したように、この発明の実施の形態１に係るエレベータかごの送風装置２Ａによれば、気流を発生させる送風装置本体２１を備え、送風装置本体２１は、送風装置本体２１によって発生した気流がかご１の外側から内側に向かうかご内送風位置と、送風装置本体２１によって発生した気流がかご１よりも上方の領域Ａに向かうかご上送風位置との間で変位するので、送風装置本体２１の位置をかご上送風位置にすることによって、かご１上で作業者１００が作業を行う場合に送風装置本体２１によって発生した気流を作業者１００に当てることができる。これにより、かご１上に作業者用送風装置を設置する必要がなくなるので、かご１上での作業効率を向上させることができる。また、かご１上に作業者用送風装置が設置されていない場合と比較して、作業者の作業環境を向上させることができるので、作業者の作業効率を向上させることができ、作業時間の短縮化を図ることができ、エレベータ停止時間の短縮化を図ることができる。
【００２２】
また、このエレベータかごの送風装置２Ａは、かご１の天井１３に設けられた回動軸２２と、回動軸２２を中心に回動可能に設けられ、送風装置本体２１を支持する支持部材２３とをさらに備え、送風装置本体２１は、支持部材２３が回動軸２２を中心に回動することによって、かご内送風位置とかご上送風位置との間で変位するので、送風装置本体２１を簡単に変位させることができる。
【００２３】
なお、上記実施の形態１では、ルーバー２４が送風装置本体２１に取り付けられており、送風装置本体２１が変位する場合に、ルーバー２４が送風装置本体２１とともに変位する構成について説明したが、ルーバー２４が送風装置本体２１ではなく天井１３に取り付けられ、送風装置本体２１が変位する場合であっても、ルーバー２４が天井１３に取り付けらたままとなる構成であってもよい。この場合、送風装置２Ａは、送風装置本体２１の位置がかご上送風位置である場合に、送風装置本体２１のプロペラファンにおける吹出側部分を覆うカバーをさら備えてもよい。このカバーは、送風装置本体２１によって発生した気流が通過可能である。これにより、かご１上の作業者１００がプロペラファンに触れてしまうことを防止することができる。
【００２４】
実施の形態２．
図３はこの発明の実施の形態２に係るエレベータの要部を示す縦断面図である。図において、エレベータは、かご１と、かご１に設けられた送風装置２Ｂと、かご１を支持するかご枠４と、かご枠４に端部が接続された複数本の主ロープ５とを備えている。図３では、かご枠４における上枠４１のみを示している。
【００２５】
送風装置２Ｂは、送風装置本体２１と、送風装置本体２１によって発生した気流の向きを変えるルーバー２４とを備えている。
【００２６】
送風装置本体２１は、プロペラファン２１１と、プロペラファン２１１を駆動させる駆動部２１２と、駆動部２１２が取り付けられる固定板２１３と、固定板２１３に設けられ、取付ビス（図示せず）を用いて天井１３に固定される複数の脚部２１４とを有している。
【００２７】
図４は図３の送風装置本体２１が変位した状態を示す図である。送風装置２Ｂは、送風装置本体２１の位置がかご上送風位置である場合に送風装置本体２１を覆うカバー２７と、送風装置本体２１の位置がかご上送風位置である場合に主ロープ５に送風装置本体２１を吊り下げるための支持部材２８をさらに備えている。
【００２８】
支持部材２８は、２本の主ロープ５に渡って設けられる架渡部２８１と、カバー２７に設けられ、架渡部２８１に引っ掛けられるフック２８２とを有している。支持部材２８は、架渡部２８１の高さ方向の位置を変化させることによって、かご１に対する高さ方向の位置を変化させることができる。
【００２９】
図５は図４の送風装置本体２１とカバー２７とを示す正面図である。送風装置本体２１は、天井１３に脚部２１４を固定する際に用いられていた取付ビスを流用して脚部２１４をカバー２７に固定することによって、カバー２７に取り付けられる。カバー２７は、送風装置本体２１のプロペラファン２１１における吹出側部分を覆う。その他の構成は、実施の形態１と同様である。
【００３０】
次に、作業者１００がかご１上で作業を行う手順について説明する。まず、作業者１００は、天井１３の上部に立ち、架渡部２８１を２本の主ロープ５に渡って取り付ける。その後、天井１３から送風装置本体２１を切り離し、切り離された送風装置本体２１をカバー２７に取り付ける。その後、フック２８２を架渡部２８１に引っ掛けて、開口部カバー２６を用いて開口部１３１を塞ぐ。その後、作業者１００は、送風装置本体２１の駆動開始の釦を操作して、かご１上で作業を行う。
【００３１】
かご１上での作業者１００の作業が終了すると、作業者１００は、開口部カバー２６を開口部１３１から取り出し、送風装置本体２１の駆動終了の釦を操作する。その後、架渡部２８１からフック２８２を取り外し、送風装置本体２１をカバー２７から取り外す。その後、送風装置本体２１をかご上送風位置からかご内送風位置に変位させる。その後、架渡部２８１を主ロープ５から取り外す。以上により、作業者１００によるかご１上での作業が終了する。
【００３２】
以上説明したように、この発明の実施の形態２に係るエレベータかごの送風装置２Ｂによれば、かご１に接続された主ロープ５に設けられ、送風装置本体２１の位置がかご上送風位置である場合に送風装置本体２１を支持する支持部材２８をさらに備えているので、主ロープ５に対する支持部材２８の高さ方向についての取付位置を変化させることによって、送風装置本体２１の位置がかご上送風位置である場合に送風装置本体２１の高さ方向の位置を調節することができる。
【００３３】
また、このエレベータかごの送風装置２Ｂは、送風装置本体２１の位置がかご上送風位置である場合に、送風装置本体２１のプロペラファン２１１における吹出側部分を覆うカバー２７をさらに備え、カバー２７は、送風装置本体２１によって発生した気流が通過可能となっているので、かご１上の作業者１００がプロペラファン２１１に触れてしまうことを防止することができる。
【００３４】
なお、各上記実施の形態では、作業者１００が送風装置本体２１の駆動開始の釦および駆動停止の釦を操作する構成について説明したが、送風装置本体２１の位置を検出する検出装置と、検出装置の検出結果に基づいて、送風装置本体２１の駆動を制御する送風制御装置とを送風装置がさらに備えた構成であってもよい。この場合、例えば、送風装置本体２１の位置がかご上送風位置である場合に、検出装置が送風装置本体２１の位置がかご上送風位置であることを検出し、送風制御装置が送風装置本体２１を連続駆動させてもよい。これにより、作業者１００による作業量を低減させることができる。
【符号の説明】
【００３５】
１  かご、２Ａ、２Ｂ  送風装置（エレベータかごの送風装置）、３  手摺、４  かご枠、５  主ロープ、１１  かご床、１２  側壁、１３  天井、２１  送風装置本体、２２  回動軸、２３  支持部材、２４  ルーバー、２５  固定部材、２６  開口部カバー、２７  カバー、２８  支持部材、４１  上枠、１３１  開口部、２１１  プロペラファン、２１２  駆動部、２１３  固定板、２１４  脚部、２８１  架渡部、２８２  フック。
【図１】
2017065905.tif 000003
【図２】
2017065905.tif 000004
【図３】
2017065905.tif 000005
【図４】
2017065905.tif 000006
【図５】
2017065905.tif 000007